(57)【要約】【課題】  コアユニットの交換作業を容易に行う。【解決手段】  本発明に係るモジュールラジエータ１１は、上下にそれぞれ設けられたアッパサブタンク１９及びロアサブタンク２０と、アッパサブタンク１９とロアサブタンク２０との間に並設された複数のチューブ２１と、各チューブ２１の回りに設けられたフィン２２とを備えたコアユニット１４が複数並設され、各コアユニット１４の上方にアッパメインタンク１２が設けられ、アッパメインタンク１２に対して各コアユニット１４が下方から着脱可能に設けられていることを特徴とする。【選択図】  図１
2007085560.tif 000002
【特許請求の範囲】
【請求項１】
上下にそれぞれ設けられたアッパサブタンク及びロアサブタンクと、前記アッパサブタンクと前記ロアサブタンクとの間に並設された複数のチューブと、該各チューブの回りに設けられたフィンとを備えたコアユニットが複数並設され、該各コアユニットの上方にアッパメインタンクが設けられ、前記アッパメインタンクに対して前記各コアユニットが下方から着脱可能に設けられていることを特徴とするモジュールラジエータ。
【請求項２】
前記コアユニットはＯリングを介して前記アッパメインタンクに差込み接続可能となっている請求項１に記載のモジュールタイプのラジエータ。
【請求項３】
前記各ロアサブタンクと連通するようにロアメインタンクが設けられ、該ロアメインタンクは、前記コアユニットに対して平面的にオフセットした位置に配置されている請求項１又は２に記載のモジュールラジエータ。
【発明の詳細な説明】
【技術分野】
【０００１】
本発明は、自動車、建設機械等において使用されるラジエータに関し、特に、コアが複数のユニットに分割されたモジュールラジエータに関する。
【背景技術】
【０００２】
従来、自動車、建設機械等において、振動や衝撃によりラジエータの一部が損傷した場合にその損傷部分のみを交換可能なように、モジュールラジエータが使用されている。
【０００３】
この種のモジュールラジエータ１は、図３に示されているように、上下に平行に設けられたアッパメインタンク２及びロアメインタンク３と、そのアッパメインタンク２とロアメインタンク３との間に並設された複数のコアユニット４とから構成されており、各コアユニット４はアッパメインタンク２及びロアメインタンク３に対してそれぞれ着脱可能に設けられている。
【０００４】
そして、このようなモジュールラジエータ１において、コアユニット４を交換する場合には、図３において矢印で示すように、コアユニット４を、一旦、後方に傾斜させた後、斜め上方に引っ張って、取り外し、その後、取り外し作業と逆の手順で、新たに別のコアユニット４を取り付けていた。（例えば、特許文献１参照）。
【０００５】
【特許文献１】米国特許第４，７４１，３９２号
【発明の開示】
【発明が解決しようとする課題】
【０００６】
しかしながら、上記した従来のモジュールラジエータ１では、コアユニット４の交換作業をコアユニット４の上方から行うようになっているため、車高の高い自動車や建設機械においては、交換作業が行い難いといった問題があった。
【０００７】
本発明は、上記課題を解決すべくなされたものであり、コアユニットの交換作業を容易に行うことのできるモジュールラジエータを提供しようとするものである。
【課題を解決するための手段】
【０００８】
本発明に係るモジュールラジエータ１１は、上下にそれぞれ設けられたアッパサブタンク１９及びロアサブタンク２０と、アッパサブタンク１９とロアサブタンク２０との間に並設された複数のチューブ２１と、各チューブ２１の回りに設けられたフィン２２とを備えたコアユニット１４が複数並設され、各コアユニット１４の上方にアッパメインタンク１２が設けられ、アッパメインタンク１２に対して各コアユニット１４が下方から着脱可能に設けられていることを特徴とする。
【０００９】
そして、好ましくは、コアユニット１４はＯリング２５を介してアッパメインタンク１２に差込み接続可能となっている。
【００１０】
また、各ロアサブタンク２０と連通するようにロアメインタンク１３が設けられ、ロアメインタンク１３は、コアユニット１４に対して平面的にオフセットした位置に配置されていてもよい。
【発明の効果】
【００１１】
本発明に係るモジュールラジエータによれば、コアユニットの交換作業をコアユニットの下方から行うことができるので、車高の高い自動車や建設機械のようにラジエータの下方に十分な空間のある車両においては、コアユニットの交換作業を容易に行うことができる。
【発明を実施するための最良の形態】
【００１２】
以下、図面を参照しつつ、本発明の実施の形態を説明する。ここで、図１は本実施の形態に係るモジュールラジエータを示す正面図、図２はその側面図であり、図２では、便宜上、フレームを２点鎖線にて示している。
【００１３】
このモジュールラジエータ１１は、上下に平行に設けられたアッパメインタンク１２及びロアメインタンク１３と、アッパメインタンク１２とロアメインタンク１３との間に設けられた複数（図１では４個）のコアユニット１４と、アッパメインタンク１２の両端部からコアユニット１４の両側面及びロアメインタンク１３の両端部後方に掛けて上下方向に設けられた一対のフレーム１５とを主体に構成されている。
【００１４】
アッパメインタンク１２は直方体形状を成し、その下面には、４個のコアユニット接続口１６が穿設されており、前面の一端部側（図１では左側）には冷却水入口１７が設けられている。一方、ロアメインタンク１３は直方体形状を成し、その後面にはコアユニット接続口（図示せず）が４箇所穿設されており、前面の他端部側（図１では右側）には冷却水出口１８が設けられている。そして、ロアメインタンク１３は、コアユニット１４に対して平面的に前方にオフセットした位置に配置されており、コアユニット１４と平面的に重合しないようになっている。
【００１５】
コアユニット１４は、上下に設けられた扁平な直方体形状のアッパサブタンク１９及びロアサブタンク２０と、アッパサブタンク１９及びロアサブタンク２０の間に並設された複数のチューブ２１と、チューブ２１の回りに設けられたフィン２２とから構成されており、複数のコアユニット１４を並設することにより、コア２３が形成されるようになっている。
【００１６】
アッパサブタンク１９の上面には上方に延びるアッパメインタンク接続管２４が形成されており、アッパメインタンク接続管２４はアッパメインタンク１２のコアユニット接続口１６に差込み接続可能なように形成されている。また、アッパメインタンク接続管２４の外周部にはＯリング２５が２重に設けられており、Ｏリング２５によりアッパメインタンク１２とアッパメインタンク接続管２４との間がシールされるようになっている。
【００１７】
一方、ロアサブタンク２０の前面には前方に延びるロアメインタンク接続管２６が形成されており、ロアメインタンク接続管２６はロアメインタンク１３の後面の前記コアユニット接続口に接続されるようになっている。なお、該コアユニット接続口に対するロアメインタンク接続管２６の接続は、フランジやユニオン継手等、各種接続手段により行うことができる。
【００１８】
次に、本実施の形態に係るラジエータ１１のコアユニット１４の交換作業の手順を説明する。
【００１９】
先ず、コアユニット１４を取り外す場合、コアユニット１４のロアメインタンク接続管２６とロアメインタンク１３との接続を取り外した後、コアユニット１４を下方鉛直方向に引っ張る。ロアメインタンク１３がコアユニット１４に重合しないように平面的にオフセットして配置されており、しかも、アッパメインタンク接続管２４がアッパメインタンク１２にＯリング２５を介して差込み接続されているため、このようにコアユニット１４を下方鉛直方向に引っ張るだけで、コアユニット１４をアッパメインタンク１２から取り外すことができる。したがって、コアユニット１４の取り外し作業は著しく簡素化される。
【００２０】
一方、新たに別のコアユニット１４を取付ける場合には、上記した取り外し作業と逆の手順により、コアユニット１４のアッパメインタンク接続管２４を下方からアッパメインタンク１２のコアユニット接続口１６に差込んだ後、ロアメインタンク接続管２６をロアメインタンク１３に接続させる。アッパメインタンク接続管２４とアッパメインタンク１２との接続部分は２重に設けられたＯリング２５によりシールされるため、シール性能を向上させることができる。
【００２１】
なお、ロアメインタンク接続管２６は、上記した形状に限定されるものではなく、ロアサブタンク２０の下面から前方に直角に屈曲させてロアメインタンク１３の後面に接続可能なように形成させたり、或いは、ロアサブタンク２０の下面からＵ字状に屈曲形成させてロアメインタンク１３の下面に差込み接続可能なように形成させたりする等、各種変更が可能である。そして、ロアメインタンク接続管２６をロアメインタンク１３に差込み接続可能なように形成させた場合には、ロアメインタンク接続管２６をロアメインタンク１３に着脱させる時にも工具を必要としないため、コアユニット１４の交換作業をより一層簡素化することができる。
【００２２】
また、上記実施の形態では、ロアメインタンク１３は、コアユニット１４と平面的に重合しないように配置されているが、ロアメインタンク接続管２６の形状によっては、コアユニット１４に幾分重合するように設けられていてもよい。その場合には、コアユニット１４の交換時に、コアユニット１４を後方に幾分傾斜させる必要があるが、ロアメインタンク１３がコアユニット１４に対してオフセットして配置されている分、後方のスペースを削減することができる。
【００２３】
さらに、ロアメインタンク１３は必ずしも設けなくてもよく、その代わりに、各ロアサブタンク２０間を配管により接続して各ロアサブタンク２０同士が連通するようにしてもよい。
【図面の簡単な説明】
【００２４】
【図１】本発明の実施の形態に係るモジュールラジエータを示す斜視図である。
【図２】本発明の実施の形態に係るモジュールラジエータを示す側面図である。
【図３】従来例を示す側面図である。
【符号の説明】
【００２５】
１１          ラジエータ
１２          アッパメインタンク
１３          ロアメインタンク
１４          コアユニット
１９          アッパサブタンク
２０          ロアサブタンク
２１          チューブ
２２          フィン
２５          Ｏリング
【図１】
2007085560.tif 000003
【図２】
2007085560.tif 000004
【図３】
2007085560.tif 000005